(57)【要約】【課題】最新のガイドラインにしたがった農薬散布を容易にすることの可能なシステムを提供する。【解決手段】本発明のＧＡＰ対応情報提供システム１では、制御部１０が分類選択モジュール１１を実行することによって栽培するものの分類が選択され、農薬情報取得モジュール１２を実行することによって散布する予定の農薬に関する農薬情報が取得される。そうすると、制御部１０は、抽出モジュール１３を実行して、栽培するものの分類及び農薬情報に対応する最新のガイドラインに沿ったガイドライン情報を抽出し、その後、提供モジュール１４を実行して、その抽出したガイドライン情報を提供する。【選択図】図１
2018198316.tif 000002
【特許請求の範囲】
【請求項１】
農業生産工程管理（ＧＡＰ）の共通基盤に関するガイドラインに対応する農薬情報を提供するＧＡＰ対応情報提供システムであって、
栽培するものの分類を選択する分類選択手段と、
散布する予定の農薬に関する農薬情報を取得する農薬情報取得手段と、
前記分類及び前記農薬情報に対応する最新の前記ガイドラインに沿ったガイドライン情報を抽出する抽出手段と、
前記ガイドライン情報を提供する提供手段と、
を備える、ＧＡＰ対応情報提供システム。
【請求項２】
前記農薬情報取得手段は、前記農薬のパッケージに備えられた二次元コードを読み取って前記農薬情報を取得する、請求項１に記載のＧＡＰ対応情報提供システム。
【請求項３】
前記農薬情報取得手段は、前記農薬情報の入力を受け付けて取得する、請求項１に記載のＧＡＰ対応情報提供システム。
【請求項４】
前記抽出手段は、農林水産省が提供するウェブサイトを参照して前記ガイドライン情報を抽出する、請求項１から３のいずれかに記載のＧＡＰ対応情報提供システム。
【請求項５】
前記ガイドラインの最新情報が予め記憶されるガイドライン記憶手段をさらに備え、
前記抽出手段は、前記ガイドライン記憶手段に記憶される前記ガイドラインの最新情報を参照して前記ガイドライン情報を抽出する、請求項１から３のいずれかに記載のＧＡＰ対応情報提供システム。
【請求項６】
前記ガイドライン情報が、食品安全、環境保全、労働安全、及び農業生産工程管理から選択される１種以上の情報を含む、請求項１から５のいずれかに記載のＧＡＰ対応情報提供システム。
【請求項７】
前記農薬情報取得手段は、ユーザが装着したスマートグラスで撮像された前記農薬の画像を解析することで前記農薬情報を取得し、
前記提供手段は、前記スマートグラスの表示板に、透過して見える前記農薬に対応させて前記ガイドライン情報を表示して提供する、請求項１から６のいずれかに記載のＧＡＰ対応情報提供システム。
【請求項８】
農業生産工程管理（ＧＡＰ）の共通基盤に関するガイドラインに対応する農薬情報を提供するＧＡＰ対応情報提供方法であって、
栽培するものの分類を選択するステップと、
散布する予定の農薬に関する農薬情報を取得するステップと、
前記農薬情報に対応する最新の前記ガイドラインに沿ったガイドライン情報を抽出するステップと、
前記ガイドライン情報を提供するステップと、
を備える、ＧＡＰ対応情報提供方法。
【請求項９】
農業生産工程管理（ＧＡＰ）の共通基盤に関するガイドラインに対応する農薬情報を提供するＧＡＰ対応情報提供システムに、
栽培するものの分類を選択するステップと、
散布する予定の農薬に関する農薬情報を取得するステップと、
前記農薬情報に対応する最新の前記ガイドラインに沿ったガイドライン情報を抽出するステップと、
前記ガイドライン情報を提供するステップと、
を実行させるためのプログラム。
【発明の詳細な説明】
【技術分野】
【０００１】
本発明は、農業生産工程管理（ＧＡＰ）対応情報提供システム、方法及びプログラムに関する。
【背景技術】
【０００２】
近年、農業分野の生産効率および食の安全性等の観点から、適正農業規範であるＧＡＰ（Ｇｏｏｄ  Ａｇｒｉｃｕｌｔｕｒａｌ  Ｐｒａｃｔｉｃｅ）が注目されている。ＧＡＰは、食品安全、環境保全、労働安全および品質向上等の様々な観点から、生産者が、農産物生産の各工程で、守るべき管理基準とその実践に関するものである。【０００３】
そして、農作業中に、現場で、チェックシートに手で記入することが容易でないことに鑑み、作業履歴の入力手段として、ＩＣタグ読取手段および音声入力手段のいずれかまたは双方を使用し、作業現場でのチェック項目を容易に入力可能にすることが提案されている（例えば、特許文献１参照）。
【先行技術文献】
【特許文献】
【０００４】
【特許文献１】特開２０１１−８６２０８号公報
【発明の概要】
【発明が解決しようとする課題】
【０００５】
ところで、ＧＡＰには、農薬の使い方の基準も示されているが、ＧＡＰの共通基盤に関するガイドラインは、頻繁に改訂される。そのため、最新のガイドラインの情報をタイムリーに提供し、最新のガイドラインにしたがった農薬散布を可能にするシステムの提供が求められている。【０００６】
本発明は、このような要望に鑑みてなされたものであり、最新のガイドラインにしたがった農薬散布を容易にすることの可能なシステムを提供することを目的とする。
【課題を解決するための手段】
【０００７】
本発明では、以下のような解決手段を提供する。【０００８】
第１の特徴に係る発明は、農業生産工程管理（ＧＡＰ）の共通基盤に関するガイドラインに対応する農薬情報を提供するＧＡＰ対応情報提供システムであって、
栽培するものの分類を選択する分類選択手段と、
散布する予定の農薬に関する農薬情報を取得する農薬情報取得手段と、
前記分類及び前記農薬情報に対応する最新の前記ガイドラインに沿ったガイドライン情報を抽出する抽出手段と、
前記ガイドライン情報を提供する提供手段と、
を備える、ＧＡＰ対応情報提供システムを提供する。【０００９】
第１の特徴に係る発明によれば、分類選択手段によって栽培するものの分類が選択され、農薬情報取得手段によって散布する予定の農薬に関する農薬情報が取得されると、抽出手段は、栽培するものの分類及び農薬情報に対応する最新のガイドラインに沿ったガイドライン情報を抽出し、提供手段は、その抽出したガイドライン情報を提供する。これにより、農業従事者は、最新のガイドラインの情報をタイムリーに受け取ることができるため、最新のガイドラインに更新されたか否かをいちいち確認しなくても、最新のガイドラインにしたがった農薬散布を適切に行うことが可能である。【００１０】
第２の特徴に係る発明は、第１の特徴に係る発明であって、
前記農薬情報取得手段は、前記農薬のパッケージに備えられた二次元コードを読み取って前記農薬情報を取得する、ＧＡＰ対応情報提供システムを提供する。【００１１】
第２の特徴に係る発明によれば、農薬のパッケージに備えられた二次元コードを読み取らせるだけで、ＧＡＰ対応情報提供システムに、散布する予定の農薬に関する農薬情報を提供することができる。そのため、農業従事者が農薬情報に熟知しておらず、最新のガイドラインに更新されたか否かの確認が容易とはいえない場合でも、最新のガイドラインにしたがい、適切な農薬かつ適切な散布方法にて農薬散布を行うことが可能となる。【００１２】
第３の特徴に係る発明は、第１の特徴に係る発明であって、
前記農薬情報取得手段は、前記農薬情報の入力を受け付けて取得する、ＧＡＰ対応情報提供システムを提供する。【００１３】
第３の特徴に係る発明によれば、農薬の製品名や、農薬の化学物質名など、農薬情報を入力することで、ＧＡＰ対応情報提供システムに、散布する予定の農薬に関する農薬情報を提供することができる。これにより、農業従事者は、最新のガイドラインの情報をタイムリーに受け取ることができるため、最新のガイドラインに更新されたか否かをいちいち確認しなくても、最新のガイドラインにしたがった農薬散布を適切に行うことが可能である。【００１４】
第４の特徴に係る発明は、第１から第３のいずれかの特徴に係る発明であって、
前記抽出手段は、農林水産省が提供するウェブサイトを参照して前記ガイドライン情報を抽出する、ＧＡＰ対応情報提供システムを提供する。【００１５】
第４の特徴に係る発明によれば、ガイドライン情報をいちいち更新する必要がないため、農業従事者にとって、最新のガイドラインに更新されたか否かの確認が容易とはいえない場合でも、最新のガイドラインにしたがい、適切な農薬かつ適切な散布方法にて農薬散布を行うことが可能となる。【００１６】
第５の特徴に係る発明は、第１から第３のいずれかの特徴に係る発明であって、
前記ガイドラインの最新情報が予め記憶されるガイドライン記憶手段をさらに備え、
前記抽出手段は、前記ガイドライン記憶手段に記憶される前記ガイドラインの最新情報を参照して前記ガイドライン情報を抽出する、ＧＡＰ対応情報提供システムを提供する。【００１７】
第５の特徴に係る発明によれば、ガイドラインの最新情報が予めガイドライン記憶手段に記憶されており、農業従事者自身においてガイドライン情報をいちいち更新する必要がないため、農業従事者にとって、最新のガイドラインに更新されたか否かの確認が容易とはいえない場合でも、最新のガイドラインにしたがい、適切な農薬かつ適切な散布方法にて農薬散布を行うことが可能となる。【００１８】
また、抽出手段がガイドライン情報を抽出する段階で、農林水産省が提供するウェブサイトを参照するものでもないため、携帯端末の電波が届きづらい場所に田畑が位置する場合であっても、ＧＡＰ対応情報提供システムを適切に動作させることができる。【００１９】
第６の特徴に係る発明は、第１から第５のいずれかの特徴に係る発明であって、
前記ガイドライン情報が、食品安全、環境保全、労働安全、及び農業生産工程管理から選択される１種以上の情報を含む、ＧＡＰ対応情報提供システムを提供する。【００２０】
第６の特徴に係る発明によれば、農業従事者は、食品安全、環境保全、及び労働安全から選択される１種以上の観点において、最新のガイドラインに更新されたか否かをいちいち確認しなくても、最新のガイドラインにしたがった農薬散布を適切に行うことが可能である。【００２１】
第７の特徴に係る発明は、第１から第６のいずれかの特徴に係る発明であって、
前記農薬情報取得手段は、ユーザが装着したスマートグラスで撮像された前記農薬の画像を解析することで前記農薬情報を取得し、
前記提供手段は、前記スマートグラスの表示板に、透過して見える前記農薬に対応させて前記ガイドライン情報を表示して提供する、ＧＡＰ対応情報提供システムを提供する。【００２２】
第７の特徴に係る発明によれば、農薬情報をスマートグラスで撮像された画像によって提供することができる。ここで、端末としてスマートグラスを用いているため、端末を持ち運びする必要がない。その結果、農作業のように、両手が作業用具でふさがりがちなユーザにとって特に利便性の高いシステムを提供できる。
【発明の効果】
【００２３】
本発明によれば、農業従事者に対し、最新のガイドラインの情報をタイムリーに提供できるため、農業従事者が最新のガイドラインに更新されたか否かをいちいち確認しなくても、最新のガイドラインにしたがった農薬散布を適切に行うことが可能なシステムを提供できる。
【図面の簡単な説明】
【００２４】
【図１】図１は、本実施形態におけるＧＡＰ対応情報提供システム１のハードウェア構成とソフトウェア機能を示すブロック図である。
【図２】図２は、本実施形態におけるＧＡＰ対応情報提供方法を示すフローチャートである。
【図３】図３は、本実施形態における分類データベース３１の一例である。
【図４】図４は、本実施形態におけるガイドライン情報データベース３２の一例である。
【図５】図５は、図４のうち、小分類に細分化した情報の一例である。
【図６】図６は、本実施形態の画像表示部６０における表示例である。
【発明を実施するための形態】
【００２５】
以下、本発明を実施するための形態について図を参照しながら説明する。なお、これはあくまでも一例であって、本発明の技術的範囲はこれに限られるものではない。
【００２６】
＜ＧＡＰ対応情報提供システム１の構成＞
図１は、本実施形態における農業生産工程管理（ＧＡＰ）対応情報提供システム１のハードウェア構成とソフトウェア機能を説明するためのブロック図である。
【００２７】
ＧＡＰ対応情報提供システム１は、データを制御する制御部１０と、他の機器と通信を行う通信部２０と、データを記憶する記憶部３０と、ユーザの操作を受け付ける入力部４０と、農薬情報を取得するための撮影部５０と、制御部１０で制御したデータや画像を出力表示する画像表示部６０とを備える。
【００２８】
ＧＡＰ対応情報提供システム１は、スマートフォン、スマートグラス、スマートウォッチ等の携帯端末に一体的に設けられたスタンドアローン型のシステムであってもよいし、携帯端末と当該携帯端末とネットワークを介して接続されるサーバとを備えるクラウド型のシステムであってもよい。本実施形態では、簡単のため、ＧＡＰ対応情報提供システム１がスタンドアローン型のシステムであるものとして説明する。
【００２９】
中でも、ＧＡＰ対応情報提供システム１は、スマートグラス、イヤラブル端末、スマートウォッチをはじめとしたウェアラブル端末であることが好ましい。これにより、農家等のユーザは、端末を持ち運びする必要がないため、両手が作業用具でふさがりがちなユーザにとって利便性の高いＧＡＰ対応情報提供システム１を提供できる。
【００３０】
ＧＡＰ対応情報提供システム１がスマートフォンである場合は、ＧＡＰ対応情報提供システム１をウェアラブル端末とするため、体にスマートフォンを装着し、両手がフリーハンドの状態にすることが好ましい。
【００３１】
制御部１０は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備える。
【００３２】
通信部２０は、他の機器と通信可能にするためのデバイス、例えば、ＩＥＥＥ８０２．１１に準拠したＷｉ−Ｆｉ（Ｗｉｒｅｌｅｓｓ  Ｆｉｄｅｌｉｔｙ）対応デバイスを備える。
【００３３】
制御部１０は、所定のプログラムを読み込み、必要に応じて通信部２０と協働することで、分類選択モジュール１１と、農薬情報取得モジュール１２と、抽出モジュール１３と、提供モジュール１４とを実現する。
【００３４】
記憶部３０は、データやファイルを記憶する装置であって、ハードディスクや半導体メモリ、記録媒体、メモリカード等による、データのストレージ部を備える。記憶部３０は、後に説明する分類データベース３１、ガイドライン情報データベース３２、分類記憶領域３３、農薬情報記憶領域３４、及び抽出情報記憶領域３５を記憶する。また、記憶部３０は、画像表示部６０に表示させる画像のデータを記憶する。
【００３５】
入力部４０の種類は、特に限定されない。入力部４０として、例えば、キーボード、マウス、タッチパネル等が挙げられる。
【００３６】
撮影部５０は、農薬のパッケージに備えられた二次元コードを読み取る読取手段や、農薬の画像を撮像する撮像手段等として機能する。撮影部５０は、レンズにより取り込んだ光学像をＣＣＤやＣＭＯＳ等の撮像素子によって画像信号に変換（撮像）する。
【００３７】
画像表示部６０の種類は、特に限定されない。画像表示部６０して、例えば、モニタ、タッチパネル等が挙げられる。
【００３８】
＜ＧＡＰ対応情報提供システム１を用いたＧＡＰ対応情報提供方法を示すフローチャート］
図２は、ＧＡＰ対応情報提供システム１を用いたＧＡＰ対応情報提供方法を示すフローチャートである。上述した各ハードウェアと、ソフトウェアモジュールが実行する処理について説明する。
【００３９】
〔ステップＳ１０：栽培するものの分類を選択〕
最初に、ＧＡＰ対応情報提供システム１の制御部１０は、分類選択モジュール１１を実行し、栽培するものの分類を選択する（ステップＳ１０）。
【００４０】
まず、制御部１０は、記憶部３０に予め記憶されている分類データベース３１を参照する。
【００４１】
図３は、分類データベース３１の概略構成を示す。２０１７年４月現在、ＧＡＰの共通基盤に関するガイドラインは、野菜、米、麦、果樹、茶、飼料作物、その他の作物（食用）、その他の作物（非食用）、及びきのこの９分類に分けられている。そこで、分類データベース３１には、これら９つの分類が分類番号に対応づけて記憶されている。
【００４２】
制御部１０は、分類データベース３１を読み出し、分類データベース３１に記憶されている分類を画像表示部６０に表示させ、ユーザ（主に農業従事者）に、栽培するものがどの分類に属するかを選択させることを促す。そして、制御部１０は、ユーザによる選択操作の結果を分類記憶領域３３に記憶する。
【００４３】
〔ステップＳ１１：農薬情報を取得〕
続いて、制御部１０は、農業情報取得モジュール１２を実行し、散布する予定の農薬に関する農薬情報を取得する（ステップＳ１１）。
【００４４】
農業情報を取得する手法は、特に限定されない。例えば、制御部１０が、撮影部５０を介して、農薬のパッケージに備えられたバーコードや二次元コード等の記録情報を読み取って農薬情報を取得してもよいし、入力部４０の操作を介して、農薬情報の入力を受け付けて農薬情報を取得してもよい。
【００４５】
農薬のパッケージに付された記録情報を読み取る場合、農薬のパッケージに備えられた二次元コードを、撮影部５０を介して制御部１０に読み取らせるだけで、ＧＡＰ対応情報提供システム１に、散布する予定の農薬に関する農薬情報を提供することができる。そのため、農業従事者が農薬情報に熟知しておらず、最新のガイドラインに更新されたか否かの確認が容易とはいえない場合でも、最新のガイドラインにしたがい、適切な農薬かつ適切な散布方法にて農薬散布を行うことが可能となる。
【００４６】
入力部４０の操作を介して、農薬情報の入力を受け付けて農薬情報を取得する場合、ユーザが、農薬の製品名や、農薬の化学物質名など、農薬情報を入力することで、ＧＡＰ対応情報提供システム１に、散布する予定の農薬に関する農薬情報を提供することができる。これにより、農業従事者は、最新のガイドラインの情報をタイムリーに受け取ることができるため、最新のガイドラインに更新されたか否かをいちいち確認しなくても、最新のガイドラインにしたがった農薬散布を適切に行うことが可能である。
【００４７】
あるいは、農薬情報取得モジュール１２を、ユーザが装着したスマートグラスで撮像された農薬の画像を解析することで農薬情報を取得するモジュールとして機能させてもよい。そうすることで、後述するステップＳ１３の処理において、農薬情報をスマートグラスで撮像された画像を用いて提供することができる。この場合、端末としてスマートグラスを用いているため、端末を持ち運びする必要がない。その結果、農作業のように、両手が作業用具でふさがりがちなユーザにとって特に利便性の高いシステムを提供できる。
【００４８】
なお、制御部１０が取得した農薬情報は、記憶部３０の農業情報記憶領域３４に記憶される。
【００４９】
〔ステップＳ１２：ガイドライン情報の抽出〕
続いて、制御部１０は、抽出モジュール１３を実行し、ステップＳ１０の処理で選択した分類と、ステップＳ１１の処理で取得した農薬情報とに対応する最新のガイドラインに沿ったガイドライン情報を抽出する（ステップＳ１２）。
【００５０】
ガイドラインを抽出する手法は、特に限定されない。一例として、制御部１０が、農林水産省が提供するウェブサイト（http://www.maff.go.jp/j/seisan/gizyutu/gap/guideline/）を参照してガイドライン情報を抽出することが挙げられる。
【００５１】
この手法によれば、ガイドライン情報をいちいち更新する必要がないため、農業従事者にとって、最新のガイドラインに更新されたか否かの確認が容易とはいえない場合でも、最新のガイドラインにしたがい、適切な農薬かつ適切な散布方法にて農薬散布を行うことが可能となる。
【００５２】
他の一例として、制御部１０が、予めガイドライン情報データベース３２として記憶部３０に記憶されるガイドラインの最新情報を読み出し、このガイドライン情報データベース３２に記憶される前記ガイドラインの最新情報を参照して、ガイドライン情報を抽出することが挙げられる。
【００５３】
この手法によれば、ガイドラインの最新情報が予め記憶部３０に記憶されており、農業従事者自身においてガイドライン情報をいちいち更新する必要がないため、農業従事者にとって、最新のガイドラインに更新されたか否かの確認が容易とはいえない場合でも、最新のガイドラインにしたがい、適切な農薬かつ適切な散布方法にて農薬散布を行うことが可能となる。
【００５４】
また、制御部１０がガイドライン情報を抽出する段階で、農林水産省が提供するウェブサイトを参照するものではないため、携帯端末の電波が届きづらい場所に田畑が位置する場合であっても、ＧＡＰ対応情報提供システム１を適切に動作させることができる。
【００５５】
以下では、上記他の一例、すなわち、予めガイドライン情報データベース３２として記憶部３０に記憶されている場合について説明する。
【００５６】
図４は、ガイドライン情報データベース３２の概略構成を示す。ガイドライン情報データベース３２は、少なくとも、ＧＡＰの共通基盤に関するガイドライン及び当該ガイドラインが参照するウェブサイトの情報等が更新される毎に、制御部１０が通信部２０を介して外部のウェブサイトから情報を取り込むことによって更新される。
【００５７】
ガイドライン情報データベース３２は、栽培するものの分類毎に、食品安全を主な目的とする取組に関する情報と、環境保全を主な目的とする取組に関する情報と、労働安全を主な目的とする取組に関する情報と、農業生産管理工程管理の全般に係る取組に関する情報とから選択される少なくとも１種以上の情報を含んで構成される。
【００５８】
それぞれの目的は、区分（大分類）に分けられ、この区分（大分類）は、さらに区分（小分類）に分けられる。図４では、農薬に関連する分類を提示しているが、この態様に限るものでなく、肥料の施肥方法等、農薬とは異なる分類の情報が格納されていてもよい。
【００５９】
例えば、ステップＳ１０の処理によって選択された分類が分類番号「１」の「野菜」である場合、制御部１０は、ガイドライン情報データベース３２を読み込み、分類番号「１」に関連する情報を区分番号（小分類）のそれぞれについて順をおって参照する。
【００６０】
図５は、その中の区分番号（小分類）が「２」である「無登録農薬等の使用禁止」として予め記憶部３０に記憶されている情報である。この情報によると、無登録農薬等の情報は、農林水産消費安全技術センターホームページ「登録・失効農薬情報」及び農林水産省ホームページ「農薬疑義資材コーナー」に掲載されている。
【００６１】
そこで、制御部１０は、これらのホームページを参照し、ステップＳ１１の処理で取得した農薬が無登録農薬等に該当するか否かを判別してもよい。あるいは、記憶部３０に、これらホームページの情報を予め記憶し、その記憶した情報を参照して制御部１０が上記の判別を行ってもよい。前者の場合は、ガイドライン情報データベース３２の更新頻度を抑えられるという利点がある。後者の場合は、携帯端末の電波が届きづらい場所に田畑が位置する場合であっても、ＧＡＰ対応情報提供システム１を適切に動作させられるという利点がある。
【００６２】
その後、制御部１０が他の区分番号（小分類）のそれぞれについてもガイドライン情報を抽出する。そして、抽出したガイドライン情報は、記憶部３０の抽出情報記憶領域３５にセットされる。
【００６３】
〔ステップＳ１３：ガイドライン情報の提供〕
続いて、制御部１０は、提供モジュール１４を実行し、ステップＳ１２の処理で抽出情報記憶部３５にセットしたガイドライン情報を、画像表示部６０に表示させる（ステップＳ１３）。
【００６４】
図６は、そのときの画像表示部６０での表示画面の一例である。画像表示部６０には、上から、農薬名の情報、その農薬が登録された農薬であるか否かを示す情報、その農薬が使用できる農作物の種類、その農薬の使用量、その農薬の希釈倍率、その農薬の使用時期等の情報が表示される。これらの情報は、ＧＡＰの共通基盤に関するガイドライン及び当該ガイドラインが参照するウェブサイトの情報等から得られる指針であって、ユーザ（農業従事者）が使用したいと考えている農薬に合わせた情報に相当する。
【００６５】
本実施形態に記載の発明によると、制御部１０が分類選択モジュール１１を実行することによって栽培するものの分類が選択され、農薬情報取得モジュール１２を実行することによって散布する予定の農薬に関する農薬情報が取得される。そうすると、制御部１０は、抽出モジュール１３を実行して、栽培するものの分類及び農薬情報に対応する最新のガイドラインに沿ったガイドライン情報を抽出し、その後、提供モジュール１４を実行して、その抽出したガイドライン情報を提供する。これにより、農業従事者は、最新のガイドラインの情報をタイムリーに受け取ることができるため、最新のガイドラインに更新されたか否かをいちいち確認しなくても、最新のガイドラインにしたがった農薬散布を適切に行うことが可能である。
【００６６】
また、本実施形態に記載の発明によると、農薬情報取得モジュール１２は、撮影部５０を介して、農薬のパッケージに備えられた二次元コードを読み取って前記農薬情報を取得するモジュールであることが好ましい。これにより、農薬のパッケージに備えられた二次元コードを読み取らせるだけで、ＧＡＰ対応情報提供システム１に、散布する予定の農薬に関する農薬情報を提供することができる。そのため、農業従事者が農薬情報に熟知しておらず、最新のガイドラインに更新されたか否かの確認が容易とはいえない場合でも、最新のガイドラインにしたがい、適切な農薬かつ適切な散布方法にて農薬散布を行うことが可能となる。
【００６７】
また、本実施形態に記載の発明によると、農薬情報取得モジュールは、入力部４０を介して、農薬情報の入力を受け付けて取得する構成としてもよい。この場合、農薬の製品名や、農薬の化学物質名など、農薬情報を、入力部４０を介して入力することで、ＧＡＰ対応情報提供システム１に、散布する予定の農薬に関する農薬情報を提供することができる。これにより、農業従事者は、最新のガイドラインの情報をタイムリーに受け取ることができるため、最新のガイドラインに更新されたか否かをいちいち確認しなくても、最新のガイドラインにしたがった農薬散布を適切に行うことが可能である。
【００６８】
また、本実施形態に記載の発明によると、抽出モジュールは、農林水産省が提供するウェブサイトを参照してガイドライン情報を抽出するモジュールであってもよい。これにより、ガイドライン情報をいちいち更新する必要がないため、農業従事者にとって、最新のガイドラインに更新されたか否かの確認が容易とはいえない場合でも、最新のガイドラインにしたがい、適切な農薬かつ適切な散布方法にて農薬散布を行うことが可能となる。
【００６９】
また、本実施形態に記載の発明によると、記憶部３０には、ガイドライン情報データベース３２として、ガイドラインの最新情報が予め記憶され、制御部１０は、抽出モジュール１３を実行して、ガイドライン記憶データベース３２に記憶されるガイドラインの最新情報を参照してガイドライン情報を抽出することが好ましい。
【００７０】
これにより、記憶部３０には、ガイドラインの最新情報が予めガイドライン情報データベース３２として記憶されており、農業従事者自身においてガイドライン情報をいちいち更新する必要がない。そのため、農業従事者にとって、最新のガイドラインに更新されたか否かの確認が容易とはいえない場合でも、最新のガイドラインにしたがい、適切な農薬かつ適切な散布方法にて農薬散布を行うことが可能となる。
【００７１】
また、制御部１０が抽出モジュール１３を実行する段階で、農林水産省等が提供するウェブサイトを制御部１０が参照するものでもないため、携帯端末の電波が届きづらい場所に田畑が位置する場合であっても、ＧＡＰ対応情報提供システム１を適切に動作させることができる。
【００７２】
また、本実施形態に記載の発明によると、農薬情報取得モジュール１２が、ユーザが装着したスマートグラスで撮像された農薬の画像を解析することで農薬情報を取得するモジュールであり、提供モジュール１４が、スマートグラスの表示板に、透過して見える農薬に対応させてガイドライン情報を表示して提供するモジュールであることが好ましい。
【００７３】
これにより、農薬情報をスマートグラスで撮像された画像によって提供することができる。ここで、端末としてスマートグラスを用いているため、端末を持ち運びする必要がない。その結果、農作業のように、両手が作業用具でふさがりがちなユーザにとって特に利便性の高いＧＡＰ対応情報提供システム１を提供できる。
【００７４】
上述した手段、機能は、コンピュータ（ＣＰＵ、情報処理装置、各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７５】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７６】
１    ＧＡＰ対応情報提供システム
１０  制御部
１１  分類選択モジュール
１２  農薬情報取得モジュール
１３  抽出モジュール
１４  提供モジュール
２０  通信部
３０  記憶部
３１  分類データベース
３２  ガイドライン情報データバース
３３  分類記憶領域
３４  農薬情報記憶領域
３５  抽出情報記憶領域
４０  入力部
５０  撮影部
６０  画像表示部
【図１】
2018198316.tif 000003
【図２】
2018198316.tif 000004
【図３】
2018198316.tif 000005
【図４】
2018198316.tif 000006
【図５】
2018198316.tif 000007
【図６】
2018198316.tif 000008
【手続補正書】
【提出日】平成30年1月29日(2018.1.29)
【手続補正１】
【補正対象書類名】特許請求の範囲
【補正対象項目名】全文
【補正方法】変更
【補正の内容】
【特許請求の範囲】
【請求項１】
農業生産工程管理（ＧＡＰ）の共通基盤に関するガイドラインに対応する農薬情報を提供するＧＡＰ対応情報提供システムであって、
栽培するものの分類を選択する分類選択手段と、
散布する予定の農薬に関する農薬情報を取得する農薬情報取得手段と、
前記分類及び前記農薬情報に対応する最新の前記ガイドラインに沿ったガイドライン情報を抽出する抽出手段と、
前記ガイドライン情報を提供する提供手段と、
前記ガイドラインの最新情報が予め記憶されるガイドライン記憶手段とを備え、
前記抽出手段は、前記ガイドライン記憶手段に記憶される前記ガイドラインの最新情報を参照して前記ガイドライン情報を抽出する、
ＧＡＰ対応情報提供システム。
【請求項２】
前記農薬情報取得手段は、前記農薬のパッケージに備えられた二次元コードを読み取って前記農薬情報を取得する、請求項１に記載のＧＡＰ対応情報提供システム。
【請求項３】
前記農薬情報取得手段は、前記農薬情報の入力を受け付けて取得する、請求項１に記載のＧＡＰ対応情報提供システム。
【請求項４】
前記抽出手段は、農林水産省が提供するウェブサイトを参照して前記ガイドライン情報を抽出する、請求項１から３のいずれかに記載のＧＡＰ対応情報提供システム。
【請求項５】
（削除）
【請求項６】
前記ガイドライン情報が、食品安全、環境保全、労働安全、及び農業生産工程管理から選択される１種以上の情報を含む、請求項１から４のいずれかに記載のＧＡＰ対応情報提供システム。
【請求項７】
前記農薬情報取得手段は、ユーザが装着したスマートグラスで撮像された前記農薬の画像を解析することで前記農薬情報を取得し、
前記提供手段は、前記スマートグラスの表示板に、透過して見える前記農薬に対応させて前記ガイドライン情報を表示して提供する、請求項１から４、６のいずれかに記載のＧＡＰ対応情報提供システム。
【請求項８】
農業生産工程管理（ＧＡＰ）の共通基盤に関するガイドラインに対応する農薬情報を提供するＧＡＰ対応情報提供方法であって、
栽培するものの分類を選択するステップと、
散布する予定の農薬に関する農薬情報を取得するステップと、
前記農薬情報に対応する最新の前記ガイドラインに沿ったガイドライン情報の最新情報を予め記憶するガイドライン記憶ステップと、
前記ガイドライン記憶ステップで記憶したガイドラインの最新情報を参照して前記ガイドライン情報を抽出するステップと、
前記ガイドライン情報を提供するステップと、
を備えるＧＡＰ対応情報提供方法。
【請求項９】
農業生産工程管理（ＧＡＰ）の共通基盤に関するガイドラインに対応する農薬情報を提供するＧＡＰ対応情報提供システムに、
栽培するものの分類を選択するステップと、
散布する予定の農薬に関する農薬情報を取得するステップと、
前記農薬情報に対応する最新の前記ガイドラインに沿ったガイドライン情報の最新情報を予め記憶するガイドライン記憶ステップと、
前記ガイドライン記憶ステップで記憶したガイドラインの最新情報を参照して前記ガイドライン情報を抽出するステップと、
前記ガイドライン情報を提供するステップと、
を実行させるためのプログラム。
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
農業生産工程管理（ＧＡＰ）の共通基盤に関するガイドラインに対応する農薬情報を提供するＧＡＰ対応情報提供システムであって、
栽培するものの分類を選択する分類選択手段と、
ユーザが装着したスマートグラスで撮像された散布する予定の農薬の画像を解析することで当該農薬に関する農薬情報を取得する農薬情報取得手段と、
前記分類及び前記農薬情報に対応する最新の前記ガイドラインに沿ったガイドライン情報を抽出する抽出手段と、
前記スマートグラスの表示板に、透過して見える前記農薬に対応させて前記ガイドライン情報を表示して提供する提供手段と、
前記ガイドラインの最新情報が予め記憶されるガイドライン記憶手段とを備え、
前記抽出手段は、前記ガイドライン記憶手段に記憶される前記ガイドラインの最新情報を参照して前記ガイドライン情報を抽出する、
ＧＡＰ対応情報提供システム。
【請求項２】
前記農薬情報取得手段は、前記農薬のパッケージに備えられた二次元コードを読み取って前記農薬情報を取得する、請求項１に記載のＧＡＰ対応情報提供システム。
【請求項３】
前記農薬情報取得手段は、前記農薬情報の入力を受け付けて取得する、請求項１に記載のＧＡＰ対応情報提供システム。
【請求項４】
前記抽出手段は、農林水産省が提供するウェブサイトを参照して前記ガイドライン情報を抽出する、請求項１から３のいずれかに記載のＧＡＰ対応情報提供システム。
【請求項５】
前記ガイドライン情報が、食品安全、環境保全、労働安全、及び農業生産工程管理から選択される１種以上の情報を含む、請求項１から４のいずれかに記載のＧＡＰ対応情報提供システム。
【請求項６】
農業生産工程管理（ＧＡＰ）の共通基盤に関するガイドラインに対応する農薬情報を提供するＧＡＰ対応情報提供システムが実行するＧＡＰ対応情報提供方法であって、
栽培するものの分類を選択するステップと、
ユーザが装着したスマートグラスで撮像された散布する予定の農薬の画像を解析することで当該農薬に関する農薬情報を取得するステップと、
前記農薬情報に対応する最新の前記ガイドラインに沿ったガイドライン情報の最新情報を予め記憶するガイドライン記憶ステップと、
前記ガイドライン記憶ステップで記憶したガイドラインの最新情報を参照して前記ガイドライン情報を抽出するステップと、
前記スマートグラスの表示板に、透過して見える前記農薬に対応させて前記ガイドライン情報を表示して提供するステップと、
を備えるＧＡＰ対応情報提供方法。
【請求項７】
農業生産工程管理（ＧＡＰ）の共通基盤に関するガイドラインに対応する農薬情報を提供するＧＡＰ対応情報提供システムに、
栽培するものの分類を選択するステップ、
ユーザが装着したスマートグラスで撮像された散布する予定の農薬の画像を解析することで当該農薬に関する農薬情報を取得するステップ、
前記農薬情報に対応する最新の前記ガイドラインに沿ったガイドライン情報の最新情報を予め記憶するガイドライン記憶ステップ、
前記ガイドライン記憶ステップで記憶したガイドラインの最新情報を参照して前記ガイドライン情報を抽出するステップ、
前記スマートグラスの表示板に、透過して見える前記農薬に対応させて前記ガイドライン情報を表示して提供するステップ、
を実行させるためのコンピュータ読み取り可能なプログラム。
【手続補正２】
【補正対象書類名】明細書
【補正対象項目名】０００８
【補正方法】変更
【補正の内容】
【０００８】
第１の特徴に係る発明は、農業生産工程管理（ＧＡＰ）の共通基盤に関するガイドラインに対応する農薬情報を提供するＧＡＰ対応情報提供システムであって、
栽培するものの分類を選択する分類選択手段と、
ユーザが装着したスマートグラスで撮像された散布する予定の農薬の画像を解析することで当該農薬に関する農薬情報を取得する農薬情報取得手段と、
前記分類及び前記農薬情報に対応する最新の前記ガイドラインに沿ったガイドライン情報を抽出する抽出手段と、
前記スマートグラスの表示板に、透過して見える前記農薬に対応させて前記ガイドライン情報を表示して提供する提供手段と、
前記ガイドラインの最新情報が予め記憶されるガイドライン記憶手段とを備え、
前記抽出手段は、前記ガイドライン記憶手段に記憶される前記ガイドラインの最新情報を参照して前記ガイドライン情報を抽出する、
を備える、ＧＡＰ対応情報提供システムを提供する。
【手続補正３】
【補正対象書類名】明細書
【補正対象項目名】０００９
【補正方法】変更
【補正の内容】
【０００９】
第１の特徴に係る発明によれば、分類選択手段によって栽培するものの分類が選択され、農薬情報取得手段によってユーザが装着したスマートグラスで撮像された散布する予定の農薬の画像を解析することで当該農薬に関する農薬情報が取得されると、抽出手段は、栽培するものの分類及び農薬情報に対応する最新のガイドラインに沿ったガイドライン情報を抽出し、提供手段は、前記スマートグラスの表示板に、透過して見える前記農薬に対応させてその抽出したガイドライン情報を表示して提供し、前記ガイドラインの最新情報が予め記憶され、記憶される前記ガイドラインの最新情報を参照して前記ガイドライン情報を抽出する。これにより、農業従事者は、最新のガイドラインの情報をタイムリーに受け取ることができるため、最新のガイドラインに更新されたか否かをいちいち確認しなくても、最新のガイドラインにしたがった農薬散布を適切に行うことが可能である。
また、第１の特徴に係る発明によれば、ガイドラインの最新情報が予めガイドライン記憶手段に記憶されており、農業従事者自身においてガイドライン情報をいちいち更新する必要がないため、農業従事者にとって、最新のガイドラインに更新されたか否かの確認が容易とはいえない場合でも、最新のガイドラインにしたがい、適切な農薬かつ適切な散布方法にて農薬散布を行うことが可能となる。
また、抽出手段がガイドライン情報を抽出する段階で、農林水産省が提供するウェブサイトを参照するものでもないため、携帯端末の電波が届きづらい場所に田畑が位置する場合であっても、ＧＡＰ対応情報提供システムを適切に動作させることができる。
また、第１の特徴に係る発明によれば、農薬情報をスマートグラスで撮像された画像によって提供することができる。ここで、端末としてスマートグラスを用いているため、端末を持ち運びする必要がない。その結果、農作業のように、両手が作業用具でふさがりがちなユーザにとって特に利便性の高いシステムを提供できる。
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
第５の特徴に係る発明は、第１から第４のいずれかの特徴に係る発明であって、
前記ガイドライン情報が、食品安全、環境保全、労働安全、及び農業生産工程管理から選択される１種以上の情報を含む、ＧＡＰ対応情報提供システムを提供する。
【手続補正７】
【補正対象書類名】明細書
【補正対象項目名】００２０
【補正方法】変更
【補正の内容】
【００２０】
第５の特徴に係る発明によれば、農業従事者は、食品安全、環境保全、及び労働安全から選択される１種以上の観点において、最新のガイドラインに更新されたか否かをいちいち確認しなくても、最新のガイドラインにしたがった農薬散布を適切に行うことが可能である。
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【国際調査報告】
2018198316.tif 000009
2018198316.tif 000010
2018198316.tif 000011
2018198316.tif 000012